(57)【特許請求の範囲】
【請求項１】
室内温度ＴＲが、ユーザにより設定された温度ＴＯから乖離している状態から、前記室内温度ＴＲが、前記温度ＴＯに近づくように、空調装置が運転される過程において、
需要電力（デマンド）が所定の値を超える兆候があると判断した場合に、消費電力を削減する必要性の大きさであるレベルを示す要求レベル情報を含むデマンド信号を出力するデマンド制御手段と、
前記室内温度ＴＲと前記温度ＴＯとの間の温度範囲内で空調目標温度ＴＰを設定する温度設定手段と、
前記空調目標温度ＴＰと前記室内温度ＴＲとの偏差（ＴＰ−ＴＲ）に応じた出力で、室内の空調を行う空調手段と、
前記デマンド信号に含まれる前記要求レベル情報に対応付けられた設定値を設定する設定手段と、を備え、
前記温度設定手段は、前記デマンド制御手段が前記デマンド信号を出力している場合、前記偏差が閾値以下になる毎に、前記空調目標温度ＴＰを前記室内温度ＴＲから前記設定値だけ離れた温度に設定しながら、前記室内温度ＴＲの変化に追従して、前記空調目標温度ＴＰを前記温度ＴＯに近づくように設定する、
空調装置。
【請求項２】
前記デマンド信号に含まれる前記要求レベル情報は段階的に規定され、
前記設定手段は、前記デマンド信号に含まれる前記要求レベル情報に対応付けられた前記設定値を段階的に設定する請求項１に記載の空調装置。
【請求項３】
室内温度ＴＲが、ユーザにより設定された温度ＴＯから乖離している状態から、前記室内温度ＴＲが、前記温度ＴＯに近づくように、空調装置が運転される過程において、
需要電力（デマンド）が所定の値を超える兆候があると判断した場合に、消費電力を削減する必要性の大きさであるレベルを示す要求レベル情報を含むデマンド信号を出力する工程と、
前記室内温度ＴＲと前記温度ＴＯとの間の温度範囲内で空調目標温度ＴＰを設定する工程と、
前記空調目標温度ＴＰと前記室内温度ＴＲとの偏差（ＴＰ−ＴＲ）に応じた出力で、室内の空調を行う工程と、
前記デマンド信号に含まれる前記要求レベル情報に対応付けられた設定値を設定する工程と、を含み、
前記空調目標温度ＴＰを設定する工程では、前記デマンド信号が出力されている場合、前記偏差が閾値以下になる毎に、前記空調目標温度ＴＰを前記室内温度ＴＲから前記設定値だけ離れた温度に設定しながら、前記室内温度ＴＲの変化に追従して、前記空調目標温度ＴＰを前記温度ＴＯに近づくように設定する、
空調方法。
【請求項４】
室内温度ＴＲが、ユーザにより設定された温度ＴＯから乖離している状態から、前記室内温度ＴＲが、前記温度ＴＯに近づくように、空調装置が運転される過程において、
コンピュータに、
需要電力（デマンド）が所定の値を超える兆候があると判断した場合に、消費電力を削減する必要性の大きさであるレベルを示す要求レベル情報を含むデマンド信号を出力する手順と、
前記室内温度ＴＲと前記温度ＴＯとの間の温度範囲内で空調目標温度ＴＰを設定する手順と、
前記空調目標温度ＴＰと前記室内温度ＴＲとの偏差（ＴＰ−ＴＲ）に応じた出力を算出する手順と、
前記デマンド信号に含まれる前記要求レベル情報に対応付けられた設定値を設定する手順と、を実行させ、
前記空調目標温度ＴＰを設定する手順では、前記デマンド信号が出力されている場合、前記偏差が閾値以下になる毎に、前記空調目標温度ＴＰを前記室内温度ＴＲから前記設定値だけ離れた温度に設定しながら、前記室内温度ＴＲの変化に追従して、前記空調目標温度ＴＰを前記温度ＴＯに近づくように設定する、
プログラム。
【発明の詳細な説明】
【技術分野】
【０００１】
本発明は、空調装置、空調方法及びプログラムに関し、更に詳しくは、室内の空調を行う空調装置、室内の空調を行うための空調方法及びプログラムに関する。
【背景技術】
【０００２】
株式会社等に代表される大口需要者と、電力会社との間の契約では、例えば年間の最大需要電力を基準として契約電力が決定される。このため、大口需要者の設備では、コントローラを用いたデマンドコントロールが一般的に行われる（例えば特許文献１参照）。このデマンドコントロールが実行されると、設備での需要電力（デマンド）が増加した際には、例えば重要度の低い機器の運転が制限される。これにより、需要電力は、契約電力を超えることなく推移する。
【先行技術文献】
【特許文献】
【０００３】
【特許文献１】特開平１−１１４６５４号公報
【発明の概要】
【発明が解決しようとする課題】
【０００４】
従来、上述のデマンドコントロールは、比較的規模が大きな設備で行われてきた。しかしながら、近年の地球温暖化や、世界規模で進行する経済産業の発展にともない、上述のデマンドコントロールに相当する技術が、今後一般家庭でも必要になることが予想される。
【０００５】
本発明は、上述の事情の下になされたもので、一般家庭における需要電力の増加を、効果的に抑制することを目的とする。
【課題を解決するための手段】
【０００６】
上記目的を達成するため、本発明に係る空調装置は、
室内温度ＴＲが、ユーザにより設定された温度ＴＯから乖離している状態から、前記室内温度ＴＲが、前記温度ＴＯに近づくように、空調装置が運転される過程において、
需要電力（デマンド）が所定の値を超える兆候があると判断した場合に、消費電力を削減する必要性の大きさであるレベルを示す要求レベル情報を含むデマンド信号を出力するデマンド制御手段と、
前記室内温度ＴＲと前記温度ＴＯとの間の温度範囲内で空調目標温度ＴＰを設定する温度設定手段と、
前記空調目標温度ＴＰと前記室内温度ＴＲとの偏差（ＴＰ−ＴＲ）に応じた出力で、室内の空調を行う空調手段と、
前記デマンド信号に含まれる前記要求レベル情報に対応付けられた設定値を設定する設定手段と、を備え、
前記温度設定手段は、前記デマンド制御手段が前記デマンド信号を出力している場合、前記偏差が閾値以下になる毎に、前記空調目標温度ＴＰを前記室内温度ＴＲから前記設定値だけ離れた温度に設定しながら、前記室内温度ＴＲの変化に追従して、前記空調目標温度ＴＰを前記温度ＴＯに近づくように設定する。
【発明の効果】
【０００７】
本発明によれば、室内の温度と空調目標温度との偏差が、デマンド信号に応じた設定値以下と小さくなる。このため、室内の空調を効率よく行うことができ、結果的に、需要電力の増加を効果的に抑制することができる。
【図面の簡単な説明】
【０００８】
【図１】本実施形態に係る空調装置のブロック図である。
【図２】室外機制御装置及び室内機制御装置のブロック図である。
【図３】室内機制御装置のＣＰＵによって実行される処理を示すフローチャートである。
【図４】室内温度の推移を示す推移曲線を示す図である。
【図５】図４における推移曲線を拡大して示す図である。
【図６】室内温度の推移を表す推移曲線を示す図である。
【図７】空調装置の消費電力を表す推移曲線を示す図である。
【発明を実施するための形態】
【０００９】
以下、本発明の一実施形態を、図面を参照しつつ説明する。図１は、本実施形態に係る空調装置１０のブロック図である。この空調装置１０は、一般家屋の室内空間１００を空調対象とする蒸気圧縮方式の空調装置である。図１に示されるように、空調装置１０は、室外機２０、室内機３０、リモコン装置５３、及びデマンド制御装置５４を有している。
【００１０】
室外機２０は、一般家屋のベランダ等に配置され、外気との間で熱交換を行う。この室外機２０は、熱交換器２１、電動ファン２２、コンプレッサ２３、四方弁２４、膨張弁２５、及び室外機制御装置５１を有している。
【００１１】
熱交換器２１は、例えば伝熱管と放熱フィンとを有するクロスフィン方式のフィン・アンド・チューブ型熱交換器である。この熱交換器２１は、空調装置１０が冷房運転を行っている場合に、凝縮器として機能し、空調装置１０が暖房運転を行っている場合に、蒸発器として機能する。
【００１２】
電動ファン２２は、遠心ファン或いは多翼ファンと、このファンを回転させるファンモータを備えている。この電動ファン２２は、外気を熱交換器２１へ供給する。
【００１３】
コンプレッサ２３は、インバータモータを備える容積式圧縮機である。このコンプレッサ２３は、冷媒を圧縮して四方弁２４へ吐出する。
【００１４】
四方弁２４は、熱交換器２１を流れる冷媒の方向を切り替えるための弁である。この四方弁２４は、空調装置１０が冷房運転を行っているときに、冷媒を矢印ａに示される方向に循環させる。そして、空調装置１０が暖房運転を行っているときに、冷媒を矢印ｂに示される方向へ循環させる。
【００１５】
膨張弁２５は、熱交換器２１を流れる冷媒の流量を調整するための電動膨張弁である。
【００１６】
図２は、室外機２０の室外機制御装置５１と、室内機３０の室内機制御装置５２のブロック図である。室外機制御装置５１は、図２に示されるように、ＣＰＵ（Central Processing Unit）５１ａ、主記憶部５１ｂ、補助記憶部５１ｃ、インタフェース５１ｄ、及び上記各部を相互に接続するバス５１ｅを有するマイクロコンピュータである。
【００１７】
主記憶部５１ｂは、ＤＲＡＭ（Dynamic Random Access Memory）或いはＳＲＡＭ（Static Random Access Memory）等の揮発性メモリを有している。この主記憶部５１ｂは、ＣＰＵ５１ａの作業領域として用いられる。
【００１８】
補助記憶部５１ｃは、磁気ディスク、フラッシュメモリ等の不揮発性メモリを有している。この補助記憶部５１ｃには、ＣＰＵ５１ａによって実行されるプログラム及び各種パラメータに関する情報が記憶されている。
【００１９】
インタフェース５１ｄは、例えばシリアルインタフェースまたはＬＡＮ（Local Area Network）インタフェース等を含んで構成されている。ＣＰＵ５１ａは、このインタフェース５１ｄを介して、室内機３０の室内機制御装置５２と通信を行う。また、ＣＰＵ５１ａは、インタフェース５１ｄに接続された温度センサ、圧力センサを介して、冷媒の圧力及び温度をモニタし、電動ファン２２及びコンプレッサ２３を制御する。
【００２０】
図１に戻り、室内機３０は、室内空間１００の天井や壁面に設置され、室内空間１００の空気と熱交換を行う。この室内機３０は、熱交換器３１、電動ファン３２、温度センサ３３、及び室内機制御装置５２を有している。
【００２１】
熱交換器３１は、上述した熱交換器２１と同等の構成を有している。この熱交換器３１には、電動ファン３２によって、室内空間１００の空気が供給される。これにより、室内空間１００の空気は、室内空間１００と熱交換器３１との間を循環し、室内空間１００の空気と熱交換器２１と間で熱交換が行われる。
【００２２】
室外機２０を構成する熱交換器２１と、室外機２０を構成する熱交換器３１は、配管６０によって接続されている。そして、この配管６０を介して冷媒が、室外機２０と室内機３０との間を循環する。
【００２３】
図２に示されるように、室内機制御装置５２は、室外機制御装置５１と同様に、ＣＰＵ５２ａ、主記憶部５２ｂ、補助記憶部５２ｃ、インタフェース５２ｄ、及び上記各部を相互に接続するバス５２ｅを有するマイクロコンピュータである。
【００２４】
室内機制御装置５２のＣＰＵ５２ａは、インタフェース５２ｄを介して、室外機２０の室外機制御装置５１、リモコン装置５３、及びデマンド制御装置５４と通信を行う。また、ＣＰＵ５２ａは、インタフェース５２ｄに接続された温度センサ３３を介して、室内空間１００の空気の温度をモニタする。そして、モニタ結果に応じて電動ファン３２を制御する。これにより、室内空間１００の温度が設定温度に調整される。
【００２５】
リモコン装置５３は、操作ボタン及び液晶表示部を備えている。このリモコン装置５３は、室内機制御装置５２と無線通信することによって、ユーザ１０５によって入力された入力情報を、室内機制御装置５２へ送信する。この入力情報は、例えば運転開始指令或いは停止指令、室内空間１００の空調目標温度（空調装置１０の設定温度）、空調空気の風向或いは風速、空調装置が冷房運転を行っているか、或いは暖房運転を行っているかを示す運転モードについて情報である。
【００２６】
デマンド制御装置５４は、例えば室内空間１００が属する家屋で消費される消費電力を監視する。そして、消費電力が契約電力超える兆候があると判断した場合に、室内機制御装置５２へデマンド信号を出力する。
【００２７】
次に、デマンド信号が出力された際に、空調装置１０によって行われる処理について説明する。前提として、空調装置１０では、デマンド制御装置５４からデマンド信号が出力されているものとする。また、空調装置１０が運転される前の室内空間１００の温度はＴ６であり、ユーザ１０５によって設定された室内空間１００の空調目標温度ＴＰは温度Ｔ０であるものとする。
【００２８】
図３は、室内機３０の室内機制御装置５２を構成するＣＰＵ５２ａの処理アルゴリズムに対応するフローチャートである。このフローチャートに示される一連の処理は、ユーザ１０５によって、空調装置１０が起動されると順次実行される。
【００２９】
まず、図３に示されるように、最初のステップＳ３０１では、ＣＰＵ５２ａは、デマンド信号の取得を試みる。デマンド制御装置５４からデマンド信号が発信されている場合には、ステップＳ３０１での判断が肯定され（ステップＳ３０１：Ｙｅｓ）、ＣＰＵ５２ａは、次のステップＳ３０２へ移行する。
【００３０】
次のステップＳ３０２では、ＣＰＵ５２ａは、デマンド信号に基づいて設定される空調目標温度ＴＰの下限値ＶＬを設定する。図４には、室内空間１００の室内温度ＴＲの推移を示す推移曲線Ｓ１が示されている。また、図中の温度Ｔ０は、ユーザ１０５によって予め設定されていた空調目標温度ＴＰである。ユーザ１０５によって空調目標温度（設定温度）ＴＰが温度Ｔ０と設定されている場合には、ＣＰＵ５２ａは、温度Ｔ０に、ΔＴ２（例えば１℃）を加えた温度Ｔ２を、空調目標温度ＴＰの下限値ＶＬに設定する。デマンド制御装置５４からデマンド信号が発信されている間は、室内空間１００の温度が、下限値ＶＬ（＝Ｔ２）になるように、空調装置１０が運転されることになる。
【００３１】
次のステップＳ３０３では、ＣＰＵ５２ａは、室内空間１００についての最初の空調目標温度ＴＰを算出する。この空調目標温度ＴＰの算出は、室内空間１００の室内温度ＴＲから、ΔＴ１を減じることによって行う。例えば、図４に示されるように、室内空間１００の温度がＴ６である場合には、温度Ｔ６からΔＴ１を減じて得られる温度Ｔ５が、空調目標温度ＴＰとして算出される。
【００３２】
次のステップＳ３０４では、ＣＰＵ５２ａは、算出した空調目標温度ＴＰが、下限値ＶＬよりも大きいか否かを判断する。算出した空調目標温度ＴＰが下限値ＶＬよりも大きい場合には（ステップＳ３０４：Ｙｅｓ）、ＣＰＵ５２ａは、ステップＳ３０５へ移行する。
【００３３】
ステップＳ３０５では、ＣＰＵ５２ａは、ステップＳ３０３で算出した空調目標温度ＴＰを新規な空調目標温度ＴＰに設定する。これにより、空調目標温度ＴＰが、温度Ｔ５に設定される。
【００３４】
ステップＳ３０５で設定された空調目標温度ＴＰについての情報は、室外機制御装置５１に送信される。室外機制御装置５１は、空調目標温度ＴＰと室内空間１００の室内温度ＴＲとの偏差に応じて、コンプレッサ２３及び電動ファン２２の目標出力を決定する。そして、コンプレッサ２３及び電動ファン２２の出力が、目標出力に一致するようにコンプレッサ２３及び電動ファン２２を運転する。
【００３５】
また、ステップＳ３０５で設定された空調目標温度ＴＰについての情報は、リモコン装置５３に出力され、表示される。ユーザ１０５は、リモコン装置５３の画面を介して、空調目標温度ＴＰの値を確認することが可能となる。
【００３６】
次のステップＳ３０６では、ＣＰＵ５２ａは、室内空間１００の室内温度ＴＲと空調目標温度ＴＰとの偏差（｜ＴＲ−ＴＰ｜）が、閾値ｔｈ以下であるか否かを判断する。そして、室内温度ＴＲと空調目標温度ＴＰとの偏差が、閾値ｔｈ以下になった場合に（ステップＳ３０６：Ｙｅｓ）、ＣＰＵ５２ａは、ステップＳ３０３へ戻る。
【００３７】
図５は、図４の一部を拡大して示す図である。図５を参照するとわかるように、空調目標温度ＴＰを温度Ｔ５とした空調が、時刻ｔ１から開始されると、推移曲線Ｓ１に従って室内空間１００の室内温度ＴＲが下降する。そして、時刻ｔ２で室内温度ＴＲと空調目標温度ＴＰとの偏差（｜ＴＲ−ＴＰ｜）が閾値ｔｈと等しくなる。このため、室内温度ＴＲと空調目標温度ＴＰとがほぼ等しくなった場合には、ステップＳ３０６での判断が肯定される。
【００３８】
ＣＰＵ５２ａによって、ステップＳ３０３〜ステップＳ３０６の処理が繰り返されることで、室内空間１００の室内温度ＴＲの低下に追従するように、大きさがほぼΔＴ１ずつ異なる空調目標温度ＴＰがΔＴ１を基準として順次設定される。具体的には、図４に示されるように、まず空調目標温度ＴＰがＴ５に設定され、室内温度ＴＲの低下に追従するように、順次空調目標温度ＴＰが温度Ｔ４，温度Ｔ３となるように設定される。
【００３９】
一方、ステップＳ３０４で、空調目標温度ＴＰが、下限値ＶＬ以下になった場合には（ステップＳ３０４：Ｎｏ）、ＣＰＵ５２ａは、ステップＳ３０７へ移行する。例えば、図４を参照するとわかるように、室内空間１００の室内温度ＴＲが、温度Ｔ３とほぼ一致する場合には、温度Ｔ３からΔＴ１を減じて算出される温度Ｔ１は、下限値ＶＬと等しい温度Ｔ２より小さくなる。このような場合には、ステップＳ３０４での判断が否定され、ＣＰＵ５２ａは、ステップＳ３０７へ移行する。
【００４０】
ステップＳ３０７では、空調目標温度ＴＰを、下限値ＶＬに等しい温度Ｔ２に設定する。これにより、空調目標温度ＴＰ（＝Ｔ２）と室内空間１００の室内温度ＴＲとの偏差に応じて、コンプレッサ２３及び電動ファン２２の目標出力が決定される。そして、コンプレッサ２３及び電動ファン２２の出力が、目標出力に一致するように運転される。したがって、時刻ｔ４に、空調目標温度ＴＰが温度Ｔ２に設定されると、時刻ｔ５に至るまでに室内空間１００の室内温度ＴＲは空調目標温度ＴＰまで低下し、以降、室内空間１００の室内温度ＴＲは温度Ｔ２に一致するように維持される。
【００４１】
ステップＳ３０７の処理が完了すると、ＣＰＵ５２ａは、ステップＳ３０１へ戻り、以降、上述したステップＳ３０１〜Ｓ３０７の処理を繰り返し実行する。
【００４２】
以上説明したように、本実施形態では、デマンド信号が発信された場合に、空調対象となる室内空間１００の室内温度ＴＲから、ΔＴ１だけ低い温度を空調目標温度ＴＰとして順次設定する。これにより、室内温度ＴＲの低下に追従するように、大きさがほぼΔＴ１ずつ異なる空調目標温度ＴＰが順次設定される。このため、室内空間１００の室内温度ＴＲと空調目標温度ＴＰとの偏差の拡大が規制され、空調装置１０の出力が必要以上に増加することがなくなる。したがって、空調装置１０が効率よく運転され、結果的に空調装置１０で消費される消費電力が削減される。以下、図６及び図７を参照して説明する。
【００４３】
例えば、図６には、推移曲線Ｓ１，Ｓ２，Ｓ３が示されている。推移曲線Ｓ１〜Ｓ３は、空調による室内温度ＴＲの推移を示す曲線である。推移曲線Ｓ１は、デマンド信号が発信されているときに、本実施形態に係る空調装置１０によって空調を実施したときの室内温度ＴＲの推移を示している。推移曲線Ｓ２は、デマンド信号が発信されているときに、空調目標温度ＴＰを、温度Ｔ２に固定した状態で空調を行ったときの室内温度ＴＲの推移を示している。推移曲線Ｓ３は、デマンド信号が発信されていないときに、空調目標温度ＴＰを、温度Ｔ０に固定した状態で空調を行ったときの室内温度ＴＲの推移を示している。
【００４４】
また、図７には、推移曲線Ｓ４，Ｓ５，Ｓ６が示されている。推移曲線Ｓ４〜Ｓ６は、空調によって消費される消費電力の推移を示す曲線である。推移曲線Ｓ４は、空調によって、室内温度ＴＲが、推移曲線Ｓ１に示されるように推移したときの消費電力の推移を示している。推移曲線Ｓ５は、空調によって、室内温度ＴＲが、推移曲線Ｓ２に示されるように推移したときの消費電力の推移を示している。推移曲線Ｓ６は、空調によって、室内温度ＴＲが、推移曲線Ｓ３に示されるように推移したときの消費電力の推移を示している。
【００４５】
図７の推移曲線Ｓ４〜Ｓ６を総合的に見ると、本実施形態に係る空調装置１０によって、室内空間１００の空調が行われたときの消費電力が、他の場合に比べて常時最も小さくなっていることがわかる。
【００４６】
空調装置が処理する熱負荷は、空調装置の運転が開始されたときに建物の躯体に蓄えられている熱量と、空調対象となる室内空間に外部から侵入する熱量との総和である。建物の躯体に蓄えられている熱量は、時間とともに次第に減少する。一方、外部からの熱負荷は、室内空間の温度と、外気温度との温度差に応じて増加する。このため、外部からの熱負荷は、室内温度が低下するにつれて増加する。
【００４７】
したがって、図７に示されるように、空調による消費電力は、建物の躯体に蓄えられている熱量の処理が行われるまでの間、すなわち空調開始直後から所定時間経過するまでの間で高くなり、その後室内温度が低下するとほぼ一定のところに落ち着く。
【００４８】
空調装置１０では、空調目標温度ＴＰと室内温度ＴＲとの偏差が一定以上拡大しないように、空調目標温度ＴＰが設定される。そして、空調装置１０は、空調目標温度ＴＰと室内温度ＴＲとの偏差に応じて、低い出力で運転される。一般に、空調装置の効率は、空調装置の出力が低いほど高くなる。したがって、本実施形態では、空調開始直後から所定時間経過するまでの間に、空調装置１０が効率的に運転され、結果的に空調で消費される消費電力が削減される。
【００４９】
本実施形態では、デマンド制御装置５４から、デマンド信号が発信された場合には、空調目標温度ＴＰの下限値ＶＬが設定される。この下限値ＶＬは、デマンド信号が発信される前の空調目標温度ＴＰにΔＴ２を加えた温度となる。このため、デマンド信号が発信された後に消費される消費電力を、確実に低減することが可能となる。
【００５０】
以上、本発明の実施形態について説明したが、本発明は上記実施形態によって限定されるものではない。例えば、上記実施形態では、空調目標温度ＴＰと室内温度ＴＲとの偏差が閾値ｔｈ以下になった場合に、空調目標温度ＴＰが新たに設定されることとした。これに限らず、空調目標温度ＴＰを設定した後に、空調を所定時間（例えば３分間）実施し、その後、空調目標温度ＴＰが新たに設定されることとしてもよい。
【００５１】
上記実施形態に係るΔＴ１，ΔＴ２は、任意に設定することが可能であり、例えば１℃から２℃とすることが考えられる。
【００５２】
上記実施形態に係るデマンド制御装置は、消費電力を削減する必要性に応じて、異なるレベルのデマンド信号を発信することとしてもよい。例えば、消費電力を削減する必要性が高い場合には、値がＨのデマンド信号を出力し、消費電力を削減する必要性が低い場合には、値がＨより低いＬの信号を出力することとしてもよい。
【００５３】
これにより、例えばデマンド信号のレベルに応じて、空調目標温度ＴＰを規定するΔＴ１の値を変更することが可能となる。具体的には、値がＨのデマンド信号が発信された場合には、室内機制御装置５２は、ΔＴ１の値を１℃として、値がＬのデマンド信号が発信された場合には、ΔＴ１の値を２℃としてもよい。これにより、デマンドに対する要求に応じて、消費電力を削減しつつ、ユーザ１０５の快適性を確保することが可能となる。
【００５４】
同様に、デマンド信号のレベルに応じて、下限値ＶＬを規定するΔＴ２の値を変更してもよい。具体的には、値がＨのデマンド信号が発信された場合には、室内機制御装置５２は、ΔＴ２の値を２℃として、値がＬのデマンド信号が発信された場合には、ΔＴ２の値を１℃としてもよい。これにより、デマンドに対する要求に応じて、消費電力を削減しつつ、ユーザ１０５の快適性を確保することが可能となる。
【００５５】
なお、デマンド信号の値はＬとＨの２つに限らず、３つ以上の値であってもよい。具体的には、デマンド制御装置は、要求レベルに応じて、値がＬのデマンド信号、値がＭのデマンド信号、値がＨのデマンド信号等、３つ以上の種類のデマンド信号を発信することとしてもよい。
【００５６】
上記実施形態では、デマンド制御装置５４は、室内空間１００が属する家屋で消費される消費電力を監視し、消費電力が契約電力超える兆候があると判断した場合に、室内機制御装置５２へデマンド信号を出力することとした。これに限らず、デマンド制御装置５４は、電力会社等の外部からの要求に応じて、デマンド信号を発信することとしてもよい。
【００５７】
上記実施形態では、図１に示されるように、デマンド制御装置５４が、室内機制御装置５２に接続されている場合について説明した。これに限らず、デマンド制御装置５４は、室外機制御装置５１に接続されていてもよい。
【００５８】
上記実施形態に係る室外機制御装置５１、及び室内機制御装置５２の機能は、専用のハードウエアによっても、通常のコンピュータシステムによっても実現することができる。
【００５９】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【産業上の利用可能性】
【００６０】
本発明の空調装置、空調方法及びプログラムは、室内空間の空調に適している。
【符号の説明】
【００６１】
１０  空調装置
２０  室外機
２１  熱交換器
２２  電動ファン
２３  コンプレッサ
２４  四方弁
２５  膨張弁
３０  室内機
３１  熱交換器
３２  電動ファン
３３  温度センサ
５１  室外機制御装置
５１ａ  ＣＰＵ
５１ｂ  主記憶部
５１ｃ  補助記憶部
５１ｄ  インタフェース
５１ｅ，５２ｅ  バス
５２  室内機制御装置
５２ａ  ＣＰＵ
５２ｂ  主記憶部
５２ｃ  補助記憶部
５２ｄ  インタフェース
５３  リモコン装置
５４  デマンド制御装置
６０  配管
１００  室内空間
１０５  ユーザ
Ｓ１〜Ｓ６  推移曲線
ＴＰ  空調目標温度
ＴＲ  室内温度
【図１】
0005701137.tif 000002
【図２】
0005701137.tif 000003
【図３】
0005701137.tif 000004
【図４】
0005701137.tif 000005
【図５】
0005701137.tif 000006
【図６】
0005701137.tif 000007
【図７】
0005701137.tif 000008